(57)【要約】  本発明はテーブルトップディスプレイ装置及びその駆動方法に関する。本発明によるテーブルトップディスプレイ装置は、画像を表示するフラットディスプレイパネルと、フラットディスプレイパネルの周縁部に沿って設けられ、周縁部内側および周縁部外側へ同時に光を照射する発光部と、周縁部外側及び周縁部内側から入射する光を受信する受光部と、受光部によって受光された光が発光部によって照射された光である場合、周縁部外側から受信される光に基づいて、ユーザの位置を検出して、周縁部内側から受信される光に基づいて、フラットディスプレイパネルのタッチ位置を決定する制御部とを含む。このような本発明によれば、フラットディスプレイパネルのタッチを検出するためのハードウェアとユーザの接近を検出するためのハードウェアとを統合して設計及び製造することで、テーブルトップディスプレイ装置の製造コスト及び消費電力の上昇が最小化されるという利点がある。
2019519057.tif 000002
【特許請求の範囲】
【請求項１】
画像を表示するように構成されたフラットディスプレイパネルと、
前記フラットディスプレイパネルの周縁部に沿って配置され、それぞれが前記周縁部内側及び前記周縁部外側へ光を照射するように構成された複数の発光部と、
前記フラットディスプレイパネルの前記周縁部に沿って配置され、前記周縁部外側から入射する光及び前記周縁部内側から入射する光を受信するように構成された複数の受光部と、
前記複数の発光部の少なくとも一つによって照射されて前記複数の受光部の少なくとも一つによって前記周縁部外側から受信される光に基づいて、ユーザの位置を検出し、前記複数の発光部の少なくとも一つによって照射されて前記複数の受光部の少なくとも一つによって前記周縁部内側から受信される光に基づいて、前記フラットディスプレイパネルのタッチ位置を決定する制御部と、を含む
テーブルトップディスプレイ装置。
【請求項２】
前記各々の発光部は、
光を照射するように構成された発光ダイオードと、
前記発光ダイオードから照射される光を前記周縁部内側と前記周縁部外側とに分岐する分光器とをさらに含む、請求項１に記載のテーブルトップディスプレイ装置。
【請求項３】
前記各々の発光部は、
前記周縁部内側及び前記周縁部外側へ照射されるように前記分光器によって分光された光を配光する一対のレンズをさらに含む、請求項２に記載のテーブルトップディスプレイ装置。
【請求項４】
フレーム部をさらに有し、
前記フレーム部は、
前記フラットディスプレイパネルの前記周縁部に対向しており、前記フラットディスプレイパネルとの間に隙間を有するように前記フラットディスプレイパネルの周縁部に沿って配置されたフレーム壁部と、
前記フレーム壁部によって支持されて前記フラットディスプレイパネルと平行な方向に所定の距離だけ延びたフレームカバー部とを含み、
前記フレーム壁部と前記フレームカバー部との間には前記発光部からの光が通過できる開放路が具備された、請求項１に記載のテーブルトップディスプレイ装置。
【請求項５】
前記各々の発光部は、
前記開放路内に設けられ、光を照射するように構成された発光ダイオードと、
前記カバー部に設けられ、前記発光ダイオードから照射される光を前記周縁部内側と前記周縁部外側とに分岐する分光器をさらに含む、請求項４に記載のテーブルトップディスプレイ装置。
【請求項６】
前記各々の発光部は、
前記発光ダイオードから照射された光を前記周縁部内側および前記周縁部外側に配光するように前記開放路内に配置された一対のレンズをさらに含む、請求項５に記載のテーブルトップディスプレイ装置。
【請求項７】
前記制御部は、前記ユーザの位置及び前記タッチ位置に基づいて、ユーザインターフェース画面を前記フラットディスプレイパネル上に表示する、請求項１に記載のテーブルトップディスプレイ装置。
【請求項８】
ユーザインターフェース画面を表示するフラットディスプレイパネルを有するテーブルトップディスプレイ装置の駆動方法であって、
前記フラットディスプレイパネルの周縁部外側へ光を照射することに応じて前記周縁部外側から受信される光に基づいてユーザの位置を検出する段階と、
前記ユーザの位置が検出された後、前記フラットディスプレイパネルの前記周縁部内側へ光を照射することに応じて前記周縁部内側から受信される光に基づいてタッチ位置を検出する段階と、を含む
テーブルトップディスプレイ装置の駆動方法。
【請求項９】
前記ユーザの位置及び前記タッチ位置に基づいて、前記ユーザインターフェース画面を前記フラットディスプレイパネル上に表示する段階をさらに含む、請求項８に記載のテーブルトップディスプレイ装置の駆動方法。
【請求項１０】
前記フラットディスプレイパネルは、前記周縁部に沿って配置された複数の発光部及び複数の受光部を含み、
前記ユーザの位置を検出する段階は、前記複数の発光部の一部を駆動して前記ユーザの存在有無を判断する段階を含む、請求項８に記載のテーブルトップディスプレイ装置の駆動方法。
【請求項１１】
前記ユーザの位置を検出する段階は、前記複数の発光部の一部を駆動することによって前記ユーザが存在すると判断されれば、前記ユーザを検出した発光部から所定の距離内のすべての発光部を駆動して前記ユーザの位置を判断する段階をさらに含む、請求項１０に記載のテーブルトップディスプレイ装置の駆動方法。
【請求項１２】
前記タッチ位置を検出する段階において、前記複数の発光部のうち前記検出されたユーザ位置から所定の距離以内にある発光部を駆動する、請求項８に記載のテーブルトップディスプレイ装置の駆動方法。
【発明の詳細な説明】
【技術分野】
【０００１】
本発明はテーブルトップディスプレイ装置及びその駆動方法に関し、より詳しくはフラットディスプレイパネルに画像を表示するテーブルトップディスプレイ装置及びその駆動方法に関する。
【背景技術】
【０００２】
コンピューターは共同作業のためのツールとして用いられることができる。テーブルの上面にタッチスクリーンを具備したテーブルトップディスプレイ装置は、コンピューターを用いた共同作業をより容易にする。
【０００３】
テーブルトップディスプレイ装置は、多数の人々が共同作業をする際に相互作用し易くするように大型化される傾向にある。
【０００４】
ところが、大型テーブルトップディスプレイ装置のためのフラットディスプレイパネルは、ユーザが一方に偏って位置している状態では画面全体をタッチしにくいからユーザの位置を把握して、ユーザから近い領域にインターフェース画面を表示する必要がある。
【０００５】
従来の技術として、フラットディスプレイパネルに接近するユーザを検出するためには、ユーザが携帯する端末と無線信号を送受信する方式（例えば、韓国公開特許公報第２０１６−００１３３１３号参照）、若しくは光を照射した後にユーザによって反射する光を受信する方式が用いられている。
【０００６】
しかし、上述した方式でユーザの接近を検出するためには更なるハードウェアが採用されなければならない。それに伴い、テーブルトップディスプレイ装置の製造コスト及び消費電力が上昇するという問題点がある。
【発明の概要】
【発明が解決しようとする課題】
【０００７】
本発明の一実施形態は、前述のような従来の技術の問題点を解決するためのものであって、フラットディスプレイパネル上のタッチを検出するためのハードウェアと、ユーザの接近を検出するためのハードウェアとを統合することにより、テーブルトップディスプレイ装置の製造コスト及び消費電力を節減することができるテーブルトップディスプレイ装置及びその駆動方法を提供する。
【０００８】
本発明の解決しようとする課題は、前述したものに限らず、言及されなかったまた他の解決しようとする課題は、下記の記載から当業者に明らかに理解されることができるはずである。
【課題を解決するための手段】
【０００９】
本発明の一実施形態によるテーブルトップディスプレイ装置は、画像を表示するように構成されたフラットディスプレイパネルと、前記フラットディスプレイパネルの周縁部に沿って配置され、それぞれが前記周縁部内側及び前記周縁部外側へ光を照射するように構成された複数の発光部と、それぞれが前記周縁部外側及び前記周縁部内側から入射する光を受信するように構成された複数の受光部と、前記複数の発光部の少なくとも一つによって照射されて前記複数の受光部の少なくとも一つによって前記周縁部外側から受信される光に基づいて、ユーザの位置を検出し、前記複数の発光部の少なくとも一つによって照射されて前記複数の受光部の少なくとも一つによって前記周縁部内側から受信される光に基づいて、前記フラットディスプレイパネルのタッチ位置を決定する制御部とを含むことができる。
【００１０】
本発明の一実施形態によるユーザインターフェース画面を表示するフラットディスプレイパネルを有するテーブルトップディスプレイ装置の駆動方法は、フラットディスプレイパネルの周縁部外側へ光を照射することに応じて、前記周縁部外側から受信される光に基づいてユーザの位置を検出する段階と、前記ユーザの位置が検出された後、フラットディスプレイパネルの前記周縁部内側へ光を照射することに応じて、前記周縁部内側から受信される光に基づいてタッチ位置を決定する段階とを含むことができる。
【発明の効果】
【００１１】
本発明によれば、フラットディスプレイパネルのタッチを検出するためのハードウェアと、ユーザの接近を検出するためのハードウェアとが統合されたテーブルトップディスプレイ装置を作製することができる。
【００１２】
これによって、テーブルトップディスプレイ装置の製造コスト及び消費電力を節減することができる。
【図面の簡単な説明】
【００１３】
【図１】図１は、本発明の第１の実施例によるテーブルトップディスプレイ装置の外形図である。
【図２】図２は、本発明の第１の実施例によるテーブルトップディスプレイ装置のブロック構成図である。
【図３】図３は、本発明の第１の実施例によるテーブルトップディスプレイ装置における発光部および受光部の配置図である。
【図４】図４は、本発明の第の１実施例によるテーブルトップディスプレイ装置における認識部の構造を説明するための部分縦断面図である。
【図５】図５は、本発明の第１の実施例によるテーブルトップディスプレイ装置の駆動方法を説明するための流れ図である。
【図６】図６は、本発明の第２の実施例によるテーブルトップディスプレイ装置における発光部および受光部の配置図である。
【図７】図７は、本発明の第３の実施例によるテーブルトップディスプレイ装置の駆動方法を説明するための概念図である。
【図８】図８は、本発明の第４の実施例によるテーブルトップディスプレイ装置の駆動方法を説明するための概念図である。
【図９】図９は、本発明の第５の実施例によるテーブルトップディスプレイ装置の駆動方法を説明するためのジェスチャーの概念図である。
【図１０】図１０は、本発明の第５の実施例によるテーブルトップディスプレイ装置の駆動方法を説明するためのロック画面の例示図である。
【図１１】図１１は、本発明の第６実施例によるテーブルトップディスプレイ装置の駆動方法を説明するための概念図である。
【図１２】図１２は、本発明の第６実施例によるテーブルトップディスプレイ装置の駆動方法を説明するための概念図である。
【発明を実施するため形態】
【００１４】
本発明の特長、並びにそれらを達成する方法は、添付される図面と一緒に詳しく後述されている実施例を参照すると、明らかになるはずである。しかし、本発明は以下で開示される実施例に限定されるものではなく、互いに異なる多様な形態で具現できる。本実施例は、本発明の開示を完全にし、本発明の属する技術分野における通常の知識を持つ者に発明の範疇を完全に知らせるために提供されるものである。本発明は請求項の範疇によって定義される。
【００１５】
本発明の実施例を説明するにおいて、公知の機能又は構成に対する具体的な説明が本発明の要旨を無駄に濁し得ると判断される場合には、その詳細な説明を略する。また、後述する用語は本発明の実施例での機能を考慮して定義された用語であって、これはユーザ、オペレータの意図または慣例などによって変わる。それゆえ、その定義は、本明細書の全般に亘っての内容に基づいて定義されなければならない。
【００１６】
図１は、本発明の第１の実施例によるテーブルトップディスプレイ装置の外形図であり、図２は、本発明の第１の実施例によるテーブルトップディスプレイ装置のブロック構成図であり、図３は、本発明の第１の実施例によるテーブルトップディスプレイ装置における発光部および受光部の配置図であり、図４は、本発明の第１の実施例によるテーブルトップディスプレイ装置における認識部の構造を説明するための部分縦断面図である。
【００１７】
本発明の第１の実施例によるテーブルトップディスプレイ装置１００は、ディスプレイ部１１０、認識部１２０、制御部１３０、格納部１４０、及び通信部１５０を含む。
【００１８】
ディスプレイ部１１０は、画像を表示するように構成されたフラットディスプレイパネル１１１を含む。また、ディスプレイ部１１０はフラットディスプレイパネル１１１の周縁部（peripheral portion）近傍でフラットディスプレイパネル１１１を取り囲むように設けられるフレーム部１１２をさらに含む。フレーム部１１２は、フラットディスプレイパネル１１１の周縁部に対向しており、フラットディスプレイパネル１１１との間に隙間を有するようにフラットディスプレイパネル１１１の周縁部に沿って配置されたフレーム壁部１１２ａを含む。また、フレーム部１１２は、フレーム壁部１１２ａによって支持されてフラットディスプレイパネル１１１と平行な方向に所定の距離だけ延びたフレームカバー部１１２ｂをさらに含む。ここで、フレーム壁部１１２ａとフレームカバー部１１２ｂとの間には発光部１２１からの光が通過できる開放路１１３が具備される。開放路１１３は、フラットディスプレイパネル１１１の周縁部外側へ光が通過できる第１の開放路１１３ａと、フラットディスプレイパネル１１１の周縁部内側へ光が通過できる第２の開放路１１３ｂとを含む。例えば、フラットディスプレイパネル１１１は、ＬＣＤ（Liquid Crystal Display）パネル、ＬＥＤ（Light Emitting Diode）パネルなどのような表示装置で具現できる。フラットディスプレイパネル１１１の上部には保護カバー（図示せず）を配置することができる。フラットディスプレイパネル１１１と保護カバー（図示せず）との間には、縁部に沿って絶縁層（図示せず）を配置することができる。
【００１９】
認識部１２０は、フラットディスプレイパネル１１１の外郭域に設定された接近認識領域１０１内へのユーザの接近及びユーザによるフラットディスプレイパネル１１１上のタッチを検出して、これに関する情報（接近情報及びタッチ情報）を制御部１３０に提供する。このような認識部１２０は、フラットディスプレイパネル１１１の周縁部に沿って配置され、それぞれが周縁部内側及び周縁部外側へ同時に光を照射できるように構成された複数の発光部１２１を含む。また、認識部１２０はフラットディスプレイパネル１１１の周縁部に沿って配置され、それぞれがフラットディスプレイパネル１１１の周縁部外側及び周縁部内側から入射する光を受信することができるように構成された複数の受光部１２２をさらに含む。発光部１２１及び受光部１２２はフラットディスプレイパネル１１１の周縁部に沿ってフラットディスプレイパネル１１１を取り囲むように交互に配置されることができる。
【００２０】
発光部１２１は、フレーム壁部１１２ａ及び／またはフラットディスプレイパネル１１１によって支持され、光を照射する発光ダイオード１２１ａを含む。発光ダイオード１２１ａはフレーム壁部１１２ａとフラットディスプレイパネル１１１との間に配置されることができる。そして、発光部１２１は、フレームカバー部１１２ｂの下面（すなわち、発光ダイオード１２１ａの上方）に設けられ、発光ダイオード１２１ａから照射される光をフラットディスプレイパネル１１１の周縁部内側と周縁部外側とに分岐する分光器１２１ｂをさらに含む。また、発光部１２１はフラットディスプレイパネル１１１の周縁部内側及び周縁部外側に照射されるように発光ダイオード１２１ａからの光及び／または分光器１２１ｂを介して分岐した光を配光する一対のレンズ１２１ｃ、１２１ｄをさらに含む。ここで、受光部１２２は、発光部１２１の分光器１２１ｂによってフラットディスプレイパネル１１１の周縁部外側方向（第１の方向）に分岐した後、接近認識領域１０１内のユーザによって反射する光を受信することができる。受光部１２２は発光部１２１の分光器１２１ｂによってフラットディスプレイパネル１１１の周縁部内側方向（第２の方向）に分光された光を受信することができる。ここで、接近認識領域１０１は発光部１２１の有効な光照射距離及び受光部１２２の受光性能によって調整されることができる。例えば、発光部１２１は赤外線発光ダイオードで具現でき、受光部１２２は赤外線受光ダイオードで具現できる。分光器１２１ｂはリフレクタ（reflector）で具現することができる。レンズ１２１ｃ、１２１ｄは、配光レンズで具現できる。実施形態によって、発光ダイオード１２１ａはレンズ１２１ｃ、１２１ｄ或いは分光器１２１ｂを介することなくフラットディスプレイパネル１１１の周縁部内側及び周縁部外側へ光を照射することもできる。
制御部１３０は、認識部１２０からの接近情報によって接近認識領域１０１内のユーザの位置を把握し、認識部１２０からのフラットディスプレイパネル１１１上のタッチ情報によってユーザのタッチ位置を把握し、把握された接近位置及びタッチ位置に応じてフラットディスプレイパネル１１１の設定位置に情報（ユーザインターフェース画面）が表示されるようにディスプレイ部１１０を制御する。このような制御部１３０は、発光部１２１と受光部１２２とが互いに平行に光を照射又は受信するように交互に配列された状況下で、フラットディスプレイパネル１１１をタッチするユーザのない状態では、複数対の発光部１２１及び受光部１２２のうち一部の対を駆動することができる。このとき、制御部１３０は複数の受光部１２２の少なくともいずれか一つによって光が受信されれば、複数の発光部１２１を順次あるいはすべて駆動して、複数の受光部１２２のうちどの受光部１２２が光を受信したかによってユーザの接近位置を把握することができる。ここで、２つ以上の受光部１２２によって光が受信された場合、制御部１３０は受信光量を比較することによって、最も多い光量が受信された受光部１２２を把握し、当該受光部１２２の位置をユーザの接近位置として認識することができる。このようにすることにより、最初からすべての発光部１２１及び受光部１２２を駆動した場合に比べて、消耗電力が減少されることができる。例えば、制御部１３０は、ＣＰＵ（Central Processing Unit）などのようなプロセッサーで具現することができる。
【００２１】
格納部１４０にはテーブルトップディスプレイ装置１００の駆動のための運用体制および各種アプリケーションが保存される。例えば、格納部１４０は、ＥＥＰＲＯＭ（Electrically Erasable Programmable Read-Only Memory）などのようなメモリー素子で具現できる。
【００２２】
通信部１５０は、ユーザによって携帯されるか、またはフラットディスプレイパネル１１１の所定の位置に置かれた端末装置と近距離通信を行った結果を制御部１３０に提供することができる。例えば、通信部１５０はＮＦＣ（Near Field Communication）モジュールなどのような近距離通信モジュールで具現することができる。
【００２３】
図５は、本発明の第１の実施例によるユーザインターフェース画面を表示するフラットディスプレイパネルを有するテーブルトップディスプレイ装置の駆動方法を説明するための流れ図である。
【００２４】
図５を参照すると、テーブルトップディスプレイ装置の駆動方法は、フラットディスプレイパネルの周縁部内側及び周縁部外側へ同時に光を照射し、フラットディスプレイパネルの周縁部外側から受信される光に基づいてユーザの接近を検出してユーザの位置を把握する段階（Ｓ２１０、Ｓ２２０）を含む。ここで、フラットディスプレイパネルの縁部に沿って互いに離隔されるように配置された複数の発光部によって照射されて第１の方向（発光部から周縁部外側への方向）に分岐した後、フラットディスプレイパネルの外郭域に設定された接近認識領域内のユーザによって反射した光が複数の受光部の少なくともいずれか一つによって受信されれば、ユーザの接近を検出することができる。次いで、複数の受光部のうちどの受光部が光を受信したのかによって接近位置を把握することができる。例えば、複数の発光部と複数の受光部とが互いに平行に光を照射又は受信するように交互に配列された場合に、複数対の発光部及び受光部のうち一部の対を駆動して、複数の受光部のいずれか一つによって光が受信されれば、複数の発光部を順次あるいはすべて駆動して複数の受光部のうちどの受光部が光を受信したのかによって接近位置を把握することができる。
【００２５】
そして、テーブルトップディスプレイ装置の駆動方法は、ユーザの位置を検出することに応じて、フラットディスプレイパネルの周縁部内側及び周縁部外側へ同時に光を照射し、フラットディスプレイパネルの周縁部内側から受信される光に基づいて、タッチを検出してタッチ位置を把握する段階（Ｓ２３０、Ｓ２４０）を含む。ここで、複数の発光部の少なくとも一つ以上から照射された後、第２の方向（発光部から周縁部内側への方向）に分岐した光が複数の受光部の少なくともいずれか一つによって受信されれば、ユーザによるフラットディスプレイパネルのタッチを検出することができる。次いで、検出されたフラットディスプレイパネルのタッチ信号を複数の受光部のうちどの受光部が受信したのかと、どの受光部が受信しなかったのかよって、タッチ位置を把握することができる。例えば、複数の発光部と複数の受光部とが互いに平行に光を照射又は受信するように交互に配列された場合に、ユーザがフラットディスプレイパネルの所定の位置をタッチすると、ユーザによって光が遮断されて影が発生する。そうすると、タッチ前には光が受信されていた複数の受光部の中で、タッチ後に光が受信されなかった受光部がフラットディスプレイパネルの横辺及び縦辺で発生し、これらの光受信経路が交差する位置をタッチ位置として把握することができる。
【００２６】
次に、テーブルトップディスプレイ装置の駆動方法は、検出されたユーザの位置及び決められたタッチ位置に基づいて、情報（ユーザインターフェース画面）をフラットディスプレイパネル上に表示する段階（Ｓ２５０）をさらに含む。ここで、把握されたユーザの接近位置にユーザが位置することを想定して、フラットディスプレイパネルの全領域の中で接近位置に近い領域にユーザインターフェース画面や特定のアプリケーションの実行画面などを表示することができる。
【００２７】
以下、図１〜図５を参照して本発明の第１の実施例によるテーブルトップディスプレイ装置の駆動方法についてより詳細に説明する。
【００２８】
先に、制御部１３０は、認識部１２０を構成する複数対の発光部１２１及び受光部１２２のうち一部の対を駆動する。すると、分光器１２１ｂによって光が第１の方向と第２の方向とに分光され、第１の方向に分射された光は、第１の開放路１１３ａを介してフラットディスプレイパネル１１１の周縁部外側であるフレーム部１１２の外郭域に照射され、第２の方向に分射された光は、第２の開放路１１３ｂを介してフラットディスプレイパネル１１１の周縁部内側に照射される。
【００２９】
この時、ユーザがフラットディスプレイパネル１１１及びフレーム部１１２の外郭域に設定された接近認識領域１０１に進入すると、ユーザによって光が反射し、複数の受光部１２２の少なくともいずれか一つによって光が受信されて、この受信信号が制御部１３０に伝わる（Ｓ２１０）。
【００３０】
すると、制御部１３０は、複数の発光部１２１を順次あるいはすべて駆動して複数の受光部１２２のうちどの受光部１２２が光を受信したのかによってユーザの接近位置を把握する（Ｓ２２０）。この際、２つ以上の受光部１２２によって光が受信された場合には、受信光量を比較して最も多い光量が受信された受光部１２２を把握し、当該位置をユーザの接近位置として認識することができる。ここで、最初からすべての発光部１２１を駆動しないで一対をなす発光部１２１及び受光部１２２の一部のみを先に駆動してから、順次駆動することができるが、これは消費電力の上昇を最小化するためである。ここで、ユーザの位置を検出するために発光する一部の発光部１２１の間には少なくとも一つの未駆動発光部１２１が存在することがあり得る。また、ユーザの位置検出のために発光する一部の発光部１２１は、順次駆動されることができる。
【００３１】
なお、ユーザの位置が検出されると、複数の発光部１２１がすべて駆動される。その後、ユーザがフラットディスプレイパネル１１１をタッチする場合、複数の発光部１２１の少なくとも一つ以上で照射された後、第２の方向に分岐した光がユーザの指によって遮断されて、フラットディスプレイパネル１１１の互いに異なる辺に位置した少なくとも２つの受光部１２２で光が検知されない。この場合に制御部１３０はユーザによってフラットディスプレイパネル１１１がタッチされたことを検出する（Ｓ２３０）。一方、段階Ｓ２２０でユーザの位置が検出されれば、ユーザの存在を検出した発光部１２１から所定の距離範囲内（例えば、当該ユーザの位置からユーザの腕が触れられる位置までに）に位置する発光部１２１のみを駆動することで、タッチの有無及びその位置を検出することもできる。
また、制御部１３０は、検出されたフラットディスプレイパネル１１１のタッチ信号を、複数の受光部１２２のうちどの受光部１２２が受信したのかと、どの受光部１２２が受信しなかったのかによって、タッチ位置を把握する。図３を参照すれば、ユーザがフラットディスプレイパネル１１１の所定の位置Ａをタッチする場合、ユーザによって光が遮断されて影Ｂが生じる。すると、制御部１３０はタッチ前には光が受信されていた複数の受光部１２２の中で、タッチ後に光が受信されなかった受光部１２２がフラットディスプレイパネル１１１の横辺及び縦辺で発生し、これらの光受信経路が交差する位置を、タッチ位置として決定することができる（Ｓ２４０）。
【００３２】
次に、制御部１３０は、把握された接近位置及びタッチ位置によってフラットディスプレイパネル１１１の設定位置に情報を表示するようにディスプレイ部１１０を制御する。すなわち、段階Ｓ２２０で把握された接近位置にユーザが位置していると推定し、フラットディスプレイパネル１１１の全領域の中で把握された接近位置に近い領域に、段階Ｓ２４０で把握されたタッチ位置に対応するユーザインターフェース画面や特定のアプリケーションの実行画面などを表示する（Ｓ２５０）。
【００３３】
図６は、本発明の第２の実施例によるテーブルトップディスプレイ装置における発光部および受光部の配置図である。
【００３４】
同図に示したように、４辺を有する矩形のフラットディスプレイパネル１１１の縁部に発光部１２１および受光部１２２を配置するに際して、４辺のうちいずれか一辺を代表的にみると、１つの発光部１２１から照射された後に接近認識領域１０１内のユーザによって反射した光を受信するようにＮ（ただし、Ｎは２以上の自然数）個の受光部１２２が並んで連続に配列される。例えば、発光部１２１が斜め方向に光を照射するように、フラットディスプレイパネル１１１の縁部に垂直な方向に所定の角度θで傾くように配置し、Ｎ個の受光部１２２は接近認識領域１０１内のユーザによって反射した光が少なくとも一つ以上の受光部１２２で受信されるように配置する。
【００３５】
段階Ｓ２１０において、制御部１３０はＮ個の受光部１２２の一部と、１つの発光部１２１とを駆動して、受光部１２２によって光が受信されればユーザの接近を検出し、段階Ｓ２２０でＮ個の受光部１２２を駆動してＮ個の受光部１２２のうちどの受光部１２２が光を受信したのかによってユーザの接近位置を把握する。この時、複数の受光部１２２が光を受信した場合、受光量及び発光部１２１の傾斜角度θに基づいてユーザの位置を決定することができる。
【００３６】
図７は、本発明の第３の実施例によるテーブルトップディスプレイ装置の駆動方法を説明するための概念図である。
【００３７】
このような第３の実施例では、通信部１５０によってユーザの接近を検出するとともに、接近位置を把握することができる。ディスプレイ部１１０は、近距離通信アンテナの設置された複数のアンテナ領域３０１を含み、ユーザ３０２が近距離通信機能が活性化された端末装置３０３をアンテナ領域３０１に近接させる場合に、通信部１５０がユーザの接近状況を制御部１３０に伝達し、制御部１３０は把握されたアンテナ領域３０１の近傍にユーザ画面３０４を表示するようにディスプレイ部１１０を制御する。
【００３８】
図８は、本発明の第４の実施例によるテーブルトップディスプレイ装置の駆動方法を説明するための概念図である。
【００３９】
このような第４の実施例では、前述した第１の実施例と同様に、認識部１２０によるユーザ接近検出及び位置把握によって、或いは、前述した第３の実施例と同様に、通信部１５０による接近検出及び位置把握によって、ユーザ３０２が位置を変更したと把握された場合に、制御部１３０はユーザ画面３０４がユーザの移動に合わせて変更された位置に表示されるようにディスプレイ部１１０を制御する。
【００４０】
図９は、本発明の第５の実施例によるテーブルトップディスプレイ装置の駆動方法を説明するためのジェスチャーの概念図であり、図１０は、本発明の第５の実施例によるテーブルトップディスプレイ装置の駆動方法を説明するためのロック画面の例示図である。
【００４１】
第５の実施例によれば、段階Ｓ２３０及びＳ２４０を繰り返し行うことによって、ユーザの両手３０２ａ、３０２ｂがフラットディスプレイパネル１１１の縁部側に収めるようなタッチジェスチャー３０５を取るものと把握された場合に、制御部１３０はユーザ画面３０４をロックし、ロック画面３０６がユーザ画面３０４と一緒に表示されるようにディスプレイ部１１０を制御する。
【００４２】
図１１及び図１２は本発明の第６実施例によるテーブルトップディスプレイ装置の駆動方法を説明するための概念図である。
【００４３】
第６の実施例において、前述した第１の実施例と同様に、認識部１２０による接近検出及び位置把握によって、或いは、前述した第３の実施例と同様に、通信部１５０による接近検出及び位置把握によって、複数のユーザ３０２、３０９に対する位置が把握できる。この場合に、制御部１３０は、第１のユーザ３０２の第１のユーザ画面３０７と第２のユーザ３０９の第２のユーザ画面３０８とが区別されて表示されるようにディスプレイ部１１０を制御する。さらに、制御部１３０は第１のユーザ画面３０７内に表示されるアプリケーション画面３０７ａ、３０７ｂと、第２のユーザ画面３０８内に表示されるアプリケーション画面３０８ａ、３０８ｂとが同様に区別されて表示されるようにディスプレイ部１１０を制御する。例えば、制御部１３０は、ユーザ画面３０７、３０８と、アプリケーション画面３０７ａ、３０７ｂ、３０８ａ、３０８ｂの外郭線とを、模様や色をそれぞれ異なるように表示することができる。
【００４４】
また、制御部１３０は第１のユーザ画面３０７内でアプリケーション画面３０７ａ、３０７ｂが重なる場合や、第２のユーザ画面３０８内でアプリケーション画面３０８ａ、３０８ｂが重なる場合に、アプリケーション画面３０７ａ、３０７ｂ、３０８ａ、３０８ｂのサイズを自動調節することで、重なることなく表示されるようにディスプレイ部１１０を制御することができる。
【００４５】
このように、第１のユーザ３０２のアプリケーション画面３０７ａ、３０７ｂと第２のユーザ３０９のアプリケーション画面３０８ａ、３０８ｂとが区別されて表示されれば、図１２に示したように、第１のユーザ３０２によって実行されたアプリケーション画面３０７ａが第２のユーザ画面３０８に移動された場合や第２のユーザ３０９によって実行されたアプリケーション画面３０８ｂが第１のユーザ画面３０７に移動された場合でも、どのユーザによって実行されたアプリケーション画面なのかを容易に区別できる。
【００４６】
一方、制御部１３０は、図１２に示したように、第１のユーザ３０２のアプリケーション画面３０７ａ、３０７ｂと、第２のユーザ３０９のアプリケーション画面３０８ａ、３０８ｂとが混在した場合に、すべてのアプリケーション画面３０７ａ、３０７ｂ、３０８ａ、３０８ｂに対して最初に実行したユーザは終了できるが、最初に実行したユーザではない場合には終了できなくすることができる。例えば、アプリケーション画面３０７ａ、３０７ｂは第１のユーザ画面３０７に位置する場合は終了できるが、第２のユーザ画面３０８に位置する場合は終了できない。また、アプリケーション画面３０８ａ、３０８ｂは、第２のユーザ画面３０８に位置する場合は終了できるが、第１のユーザ画面３０７に位置する場合は終了できない。
【００４７】
これまで説明したように、本発明の一実施形態によれば、フラットディスプレイパネルのタッチを検出するためのハードウェアとユーザの接近を検出するためのハードウェアとを統合して設計及び製造可能である。
【００４８】
これによって、テーブルトップディスプレイ装置の製造コスト及び消費電力の上昇が最小化される。
【００４９】
本発明に添付された各流れ図の各段階の組み合わせは、コンピュータープログラム命令によって行われることもできる。これらのコンピュータープログラム命令は、汎用コンピューター、特殊用コンピューター、若しくはその他プログラム可能なデータプロセッシング装備のプロセッサーに搭載することができるため、コンピューターまたはその他プログラム可能なデータプロセッシング装備のプロセッサーによって行われるその命令が流れ図の各段階で説明された機能を遂行する手段を生成することになる。これらのコンピュータープログラム命令は、特定の方式で機能を具現するためにコンピューターまたはその他プログラム可能なデータプロセッシング装備を志向することができるコンピューター利用可能な、またはコンピューターで読み取り可能なメモリーに格納されることも可能なので、そのコンピューター利用可能またはコンピューターで読み取り可能なメモリーに格納された命令は、流れ図の各段階で説明された機能を遂行する命令手段を内包する製造品目を生産することも可能である。コンピュータープログラム命令は、コンピューターまたはその他プログラム可能なデータプロセッシング装備上に搭載されることもできるので、コンピューターまたはその他プログラム可能なデータプロセッシング装備上で一連の動作段階が行われてコンピューターで実行されるプロセスを生成してコンピューターまたはその他プログラム可能なデータプロセッシング装備を動作させる命令は、流れ図の各段階で説明された機能を遂行するための段階を提供することもできる。
【００５０】
また、各段階は特定のロジック機能を行うための一つ以上の実行可能な命令を含むモジュール、セグメントまたはコードの一部を示すことができる。また、幾つかの代替実施形態では各段階で言及された機能が順序を外れて発生することも可能であることに留意せねばならない。例えば、連続して図示されている２つの段階は、実は実質的に同時に行われてもよく、またはその段階が時々該当する機能によって逆順に行われてもよい。
【００５１】
以上の説明は、本発明の技術思想を例示的に説明したものに過ぎず、本発明の属する技術分野における通常の知識を持つ者なら本発明の本質的な特性から逸脱しない範囲で多様な修正及び変形が可能である。したがって、本発明に開示された実施形態は本発明の技術思想を限定するものではなく説明上の便宜のためのものに過ぎず、このような実施形態によって本発明の技術思想の範囲が限定されるものではない。本発明の保護範囲は下記の特許請求の範囲によって解釈されなければならなく、それと同等な範囲内にあるすべての技術思想は本発明の権利範囲に含まれるものと解釈されなければならないはずである。
【産業上の利用可能性】
【００５２】
本発明の一実施形態は大型テーブルトップインターフェースのためのフラットディスプレイパネルを含むテーブルトップディスプレイ装置において、ユーザの接近を検出するためのハードウェアを構成するときに用いられることができる。
【図１】
2019519057.tif 000003
【図２】
2019519057.tif 000004
【図３】
2019519057.tif 000005
【図４】
2019519057.tif 000006
【図５】
2019519057.tif 000007
【図６】
2019519057.tif 000008
【図７】
2019519057.tif 000009
【図８】
2019519057.tif 000010
【図９】
2019519057.tif 000011
【図１０】
2019519057.tif 000012
【図１１】
2019519057.tif 000013
【図１２】
2019519057.tif 000014
【国際調査報告】
2019519057.tif 000015
2019519057.tif 000016
2019519057.tif 000017
2019519057.tif 000018
2019519057.tif 000019
2019519057.tif 000020
2019519057.tif 000021
2019519057.tif 000022
2019519057.tif 000023
2019519057.tif 000024
2019519057.tif 000025
2019519057.tif 000026
2019519057.tif 000027
2019519057.tif 000028